(57)【要約】【課題】  ノイズによる画像への悪影響を低減可能なカメラの提供をする。【解決手段】  第一と第二と第三の各回路ブロックを含む少なくとも一枚以上で構成される第一の回路基板と、第一のＤＣＤＣコンバーター回路ブロックを含む第二の回路基板と、第二のＤＣＤＣコンバーター回路ブロックを含む第三の回路基板とを備え、第一の回路基板は撮影光軸と直交する平面上に配置すると共に、第一の回路ブロックは撮影光軸の略同一軸上に、第二の回路ブロックは第一の回路ブロックに対しカメラのグリップ側と反対側に、第三の回路ブロックは第一の回路ブロックに対しカメラのグリップ側に夫々レイアウトし、第二の回路基板はレンズマウントをはさみカメラのグリップ側と反対側に配置すると共に、第二の回路ブロック近傍に電気的接続をし、第三の回路基板はレンズマウントをはさみカメラのグリップ側に配置すると共に、第三の回路ブロック近傍に電気的接続をする。【選択図】  図３
2006332745.tif 000002
【特許請求の範囲】
【請求項１】
撮影光学系を介した被写体像を電気信号に変換する固体撮像素子と、前記固体撮像素子を駆動するための固体撮像素子駆動回路と前記個体撮像素子から得られた画像信号をＡ／Ｄ変換するＡ／Ｄ変換回路とを含む第一の回路ブロック、前記Ａ／Ｄ変換された画像信号を格納するためのバッファメモリ制御回路と前記バッファメモリに蓄えられた画像信号を現像処理するための画像信号処理回路とを含む第二の回路ブロック、カメラの動作制御を行うためのカメラ動作制御回路を含む第三の回路ブロック、前記第一の回路ブロック及び前記第二の回路ブロックを駆動させるための電源を作り出す第一のＤＣＤＣコンバーター回路ブロック、前記第三の回路ブロックを駆動させるための電源を作り出す第二のＤＣＤＣコンバーター回路ブロックのこれら５つの回路ブロックと、前記第一の回路ブロック及び第二の回路ブロック及び第三の回路ブロックを含む少なくとも一枚以上で構成される第一の回路基板、前記第一のＤＣＤＣコンバーター回路ブロックを含む第二の回路基板、前記第二のＤＣＤＣコンバーター回路ブロックを含む第三の回路基板のこれら複数の回路基板とから構成される電子カメラにおいて、
前記第一の回路基板は撮影光軸と直交する平面上且つ前記固体撮像素子後方に配置されると共に、前記第一の回路ブロックは前記撮影光軸の略同一軸上に、前記第二の回路ブロックは前記第一の回路ブロックに対しカメラのグリップ側と反対側に、前記第三の回路ブロックは前記第一の回路ブロックに対しカメラのグリップ側にそれぞれレイアウトされ、前記第二の回路基板はレンズマウントをはさみカメラのグリップ側と反対側に配置され、前記第二の回路ブロック近傍に電気的接続がなされ、前記第三の回路基板はレンズマウントをはさみカメラのグリップ側に配置され、前記第三の回路ブロック近傍に電気的接続がなされることを特徴とする電子カメラ。
【請求項２】
前記第一の回路基板と前記第二の回路基板及び前記第三の回路基板との電気的接続は、ワイヤーハーネス又はフレキシブルプリント基板によりなされることを特徴とする請求項１記載の電子カメラ。
【発明の詳細な説明】
【技術分野】
【０００１】
本発明は、ＣＣＤ等の固体撮像素子を有する電子カメラ、特にデジタルスチルカメラの回路基板レイアウトに関するものである。
【背景技術】
【０００２】
近年、被写体像をＣＣＤ等の固体撮像素子（以後撮像素子と呼ぶ）を用いて撮像し、撮像された画像信号をＡ／Ｄ変換し、デジタル信号として処理して記録媒体に記録するいわゆるデジタルスチルカメラが普及してきている。
【０００３】
この種のデジタルスチルカメラは、一般につぎのような回路を搭載している。
【０００４】
・撮像素子を駆動するための撮像素子駆動回路
・撮像素子で撮像された画像信号をＡ／Ｄ変換するＡ／Ｄ変換回路
・Ａ／Ｄ変換された画像データを一時的に蓄えるバッファメモリ制御回路
・前記メモリに蓄えられた画像データを現像処理して画像データを生成する画像信号処理回路
・生成された画像データの記録媒体への転送及び記録媒体からの画像データの読み出しを制御する外部記録媒体制御回路
・生成された画像データを外部機器と授受するためのＩ／Ｏ制御回路
・画像データをＤ／Ａ変換し、内蔵した表示装置に出力するＴＦＴ表示処理回路
・各種センサー・ＳＷ類やカメラアクチュエータの駆動制御等を制御するカメラ動作制御回路
・上記各種回路に対応した電源を作り出すためのＤＣＤＣコンバーター回路
このようにデジタルスチルカメラは極めて大規模な電子回路を有しており、前記電子回路を複数の基板に実装し、限られた空間内にレイアウトしている。
【０００５】
図５、図６を用いて、従来の一眼レフタイプのデジタルスチルカメラの構成について説明する。
【０００６】
図５は、従来の一眼レフタイプのデジタルスチルカメラの要部実装構成図である。
【０００７】
同図において、２０１はレンズマウントが取り付けられた周知のミラーボックス、２０２は撮影光軸、２０３はペンタプリズム、２０４はグリップ兼電池を収納するための電池ボックス、２０５は撮影光軸２０２と直交する平面上且つ不図示の撮像素子後方に配置された多層基板からなるデジタル回路基板、２０６は電池ボックス後方及び前記デジタル回路基板２０５と並列に配置された多層基板からなるカメラ回路基板、２０７はＤＣＤＣコンバーター回路基板、２０８は不図示の撮像素子とデジタル回路基板２０５とを電気的に接続するためのフレキシブルプリント基板からなる撮像素子フレキでデジタル回路基板２０５に実装されたコネクタ２０５ａ及びコネクタ２０５ｂによって接続される。２０９はＤＣＤＣコンバーター回路基板２０７とデジタル回路基板２０５とを電気的に接続するためのデジタルＤＣＤＣフレキで、デジタル回路基板２０５に実装されたコネクタ２０５ｃ及びＤＣＤＣ回路基板２０７に実装されたコネクタ２０７ａによって接続される。２１０はＤＣＤＣコンバーター回路基板２０７とカメラ回路基板２０６とを電気的に接続するためのカメラＤＣＤＣフレキで、カメラ回路基板２０６に実装されたコネクタ２０６ａ及びＤＣＤＣコンバーター回路基板２０７に実装されたコネクタ２０７ｂによって接続される。
【０００８】
デジタル回路基板２０５には、前述の少なくともＡ／Ｄ変換回路を含む第一の回路ブロック２０５ｄと前述の少なくともバッファメモリ回路及び画像信号処理回路含む第二の回路ブロック２０５ｅを有しており、図示の如く撮影光軸２０２の略同一軸上に第一の回路ブロック２０５ｄを、第一の回路ブロック２０５ｄの紙面左側に第二の回路ブロック２０５ｅがレイアウトされている。
【０００９】
撮像素子からの画像信号は、撮像素子フレキ２０８を介し第一の回路ブロック２０５ｄに入りＡ／Ｄ変換され、第二の回路ブロック２０５ｅによって画像データが生成される。
【００１０】
カメラ回路基板２０６には、前述の少なくともカメラ動作制御回路を含む第三の回路ブロック２０６ｂを有しており、カメラの種々の動作制御が行われる。
【００１１】
ＤＣＤＣコンバーター回路基板２０７には、前述の少なくともＤＣＤＣコンバーター回路を含むＤＣＤＣコンバーター回路ブロック２０７ｃを有しており、電池から電源の供給を受け、第一の回路ブロック２０５ｄ及び第二の回路ブロック２０５ｅ及び第三の回路ブロック２０６ｂが動作するために必要な各種電源電圧を作り出している。ＤＣＤＣコンバーター回路ブロック２０７ｃで作られた各種電源電圧はデジタルＤＣＤＣフレキ２０９を介し第一の回路ブロック２０５ｄ及び第二の回路ブロック２０５ｅに、カメラＤＣＤＣフレキ２１０を介し第三の回路ブロック２０６ｂにそれぞれ供給される。
【００１２】
又、従来例としては、例えば特許文献１をあげることが出来る。
【特許文献１】特開２００３−０８７６２５号公報
【発明の開示】
【発明が解決しようとする課題】
【００１３】
前述したように撮像素子からの画像信号は第一の回路ブロック２０５ｄによってＡ／Ｄ変換されるが、Ａ／Ｄ変換される前のアナログ信号は外部からの各種ノイズに対し非常に敏感であり、画像信号にノイズがのってしまうと画像にノイズが発生してしまい貴重な撮影データが台無しになってしまうことがある。そのために撮像素子フレキ２０８をシールドケースやシールドテープ等によってガードするといった手法をとられることが一般的となってきている。また、デジタル回路基板２０５内での画像信号に対しても配慮が必要であり、デジタル回路基板２０５の内層にＧＮＤのベタ層を設け、画像信号をガードするといったことも行われている。
【００１４】
しかしながら、電源ライン等強いノイズを発生するラインが画像信号上又は近傍を走るパターン設計となっているとＧＮＤベタでガードしていても完全には防ぎ切れない場合もある。
【００１５】
図６はデジタル回路基板内での電源ラインの流れを示す略図である。２０５ｆは第二の回路ブロック２０５ｅに供給される電源ラインを示し、２０５ｇは第一の回路ブロック２０５ｄに供給される電源ラインを示す。
【００１６】
図６に示すように、従来の一眼レフタイプのデジタルカメラの構成ではＤＣＤＣコンバーター回路基板２０７と第二の回路ブロック２０５ｅとのレイアウト上、電源ライン２０５ｆは第一の回路ブロック２０５ｄ上を横切るパターン設計とせざるを得ない構成となっていた。そのために十分な画像品質保証が得られ難いという問題があった。
【００１７】
本発明は、かかる問題点に鑑みてなされたものであり、カメラ内でのＤＣＤＣコンバーター回路基板と回路基板上での回路ブロックレイアウトの適正化を図ることにより、動作信頼性の高い、特には画像への悪影響を低減可能なカメラの提供を目的とする。
【課題を解決するための手段】
【００１８】
撮影光学系を介した被写体像を電気信号に変換する固体撮像素子と、前記固体撮像素子を駆動するための固体撮像素子駆動回路と前記個体撮像素子から得られた画像信号をＡ／Ｄ変換するＡ／Ｄ変換回路とを含む第一の回路ブロック、前記Ａ／Ｄ変換された画像信号を格納するためのバッファメモリ制御回路と前記バッファメモリに蓄えられた画像信号を現像処理するための画像信号処理回路とを含む第二の回路ブロック、カメラの動作制御を行うためのカメラ動作制御回路を含む第三の回路ブロック、前記第一の回路ブロック及び前記第二の回路ブロックを駆動させるための電源を作り出す第一のＤＣＤＣコンバーター回路ブロック、前記第三の回路ブロックを駆動させるための電源を作り出す第二のＤＣＤＣコンバーター回路ブロックのこれら５つの回路ブロックと、前記第一の回路ブロック及び第二の回路ブロック及び第三の回路ブロックを含む少なくとも一枚以上で構成される第一の回路基板、前記第一のＤＣＤＣコンバーター回路ブロックを含む第二の回路基板、前記第二のＤＣＤＣコンバーター回路ブロックを含む第三の回路基板のこれら複数の回路基板とから構成される電子カメラにおいて、前記第一の回路基板は撮影光軸と直交する平面上且つ前記固体撮像素子後方に配置されると共に、前記第一の回路ブロックは前記撮影光軸の略同一軸上に、前記第二の回路ブロックは前記第一の回路ブロックに対しカメラのグリップ側と反対側に、前記第三の回路ブロックは前記第一の回路ブロックに対しカメラのグリップ側にそれぞれレイアウトされ、前記第二の回路基板はレンズマウントをはさみカメラのグリップ側と反対側に配置され、前記第二の回路ブロック近傍に電気的接続がなされ、前記第三の回路基板はレンズマウントをはさみカメラのグリップ側に配置され、前記第三の回路ブロック近傍に電気的接続がなされることを特徴とする。
【００１９】
また、前記問題点を解決するために請求項２記載の本発明では、前記第一の回路基板と前記第二の回路基板及び前記第三の回路基板との電気的接続は、ワイヤーハーネス又はフレキシブルプリント基板によりなされることを特徴とする。
【発明の効果】
【００２０】
カメラ内でのＤＣＤＣコンバーター回路ブロックを第一及び第二の回路ブロック用と第三の回路ブロック用とに分割し、第一及び第二の回路ブロック用のＤＣＤＣコンバーター回路ブロックは第二の回路ブロック近傍に配置・接続し、第三の回路ブロック用のＤＣＤＣコンバーター回路ブロックは第三の回路ブロック近傍に配置・接続することでカメラ外部に放射されるノイズの低減はもとより、ノイズによる画像への悪影響を低減可能なカメラの提供が可能となる。
【発明を実施するための最良の形態】
【００２１】
以下、本発明の実施例を図１〜図４を用いて説明する。
【００２２】
図１は本実施形態における電子カメラの要部電気構成を示すブロック図で、図２は本実施形態における電子カメラの要部構成図、図３は本実施形態における電子カメラの要部回路基板の構成図でカメラ後方斜めから見た図、図４は回路基板内での電源ラインの流れを示す略図である。
【００２３】
まず図１を用いて本実施形態における電子カメラの要部電気構成を説明する。
【００２４】
１０は光学像を電気信号に変換するＣＣＤ等の撮像素子である。１０１は撮像素子１０の駆動／制御を行なう撮像素子駆動制御回路である。１０２は撮像素子１０から出力されたアナログ信号をデジタル信号に変換するＡ／Ｄ変換回路である。１０３は第１画像処理回路であり、Ａ／Ｄ変換回路１０２から出力されたデジタル信号を処理して画像データを生成し、この画像データをバッファメモリ１０４へ保存したり、後述の第２画像信号処理回路１０５へ出力する処理を施す。１０５は第２画像処理回路であり、第１画像処理回路１０３から出力された画像データを用いて画像圧縮・伸長処理や画素補間処理、色変換処理等の画像処理を施したり、画像をＴＦＴ表示パネル３２に表示するための画像処理を施し、ＴＦＴ表示処理回路１０６に画像データを出力する処理を施す。１０６はＴＦＴ表示処理回路であり、第２画像処理回路１０５から出力される画像信号等をＴＦＴ表示パネル３２に表示するための処理を施すものである。１０７は外部記録媒体制御回路であり、第２画像処理回路１０５で処理された画像データを後述する外部記録媒体１０８へ送り、または外部記録媒体１０８内のデータをカメラ本体内部へ送るなどのデータの授受を制御する通信制御回路である。１０８はカメラに着脱可能な外部記録媒体であり、半導体メモリや磁気ディスク等で構成される記録部、カメラと接続するためのインターフェースおよびコネクタを備えている記録媒体である。１０９はＩ／Ｏ制御回路であり、第２画像処理回路１０５で処理された画像データをＩ／Ｏ端子３０ｅを介して接続されたパソコン等の外部機器へ送り、またはパソコン等の外部機器からカメラ本体内部へ送るなどのデータの授受を制御する通信制御回路である。
【００２５】
１１０はカメラのＳＷ類であり、たとえばカメラ機能選択ＳＷやメインＳＷ、レリーズＳＷ、撮影モード切替えＳＷ等である。１１１はカメラの液晶表示装置であり、たとえば撮影モードやレンズの絞り値、シャッタスピード値、ＩＳＯ感度などの各種情報を表示する。１１２は測光センサやＡＦセンサなどの各種センサ類である。１１３はシャッタやミラーなどのチャージ駆動を行うカメラアクチュエータ類である。
【００２６】
１１４はデジタル回路制御マイコンである。このデジタル回路制御マイコン１１４はＣＰＵバスを介して第１画像信号処理回路１０３、第２画像信号処理回路１０５、Ｉ／Ｏ制御回路１０９及び外部記録媒体制御回路１０７と通信、データの授受を行い、これらを統括的に制御している。１１５はカメラ回路制御マイコンであり、センサ類１１２の駆動、ＳＷ類１１０の状態の検知や、液晶表示装置１１１の表示制御、カメラアクチュエータ類１１３の駆動制御やこれらに関わる各種演算処理を統括的に行う。カメラ制御マイコン１１５とデジタル回路制御マイコン１１４はお互いに通信し、協調してカメラ全体の制御を行う。
【００２７】
１１６はデジタルＤＣＤＣコンバーター回路、１１７はカメラＤＣＤＣコンバーター回路で、後述説明するデジタル回路基板及びカメラ回路基板内に構成される回路ブロックを駆動するために必要な各種電源電圧をグリップ兼電池を収納するための後述する電池ボックス３５内に収められた電源１１８から電源の供給を受け、作り出している。
【００２８】
次に図２を用いて本実施形態の電子カメラの要部構成を説明をする。
【００２９】
本実施形態の電子カメラシステムは電子カメラ本体を構成するカメラ本体１と、複数のレンズを有する撮影レンズ２とで構成されており、該撮影レンズ２はカメラ本体１に対して着脱自在に配設されている。
【００３０】
撮影レンズ２は１群レンズ３、２群レンズ４、３群レンズ５で構成されており、１群レンズ３は光軸３３上を前後に移動させることで撮影画面のピント位置を調整することが出来る。２群レンズ４は光軸３３上を前後に移動させることで撮影画面の変倍となり撮影レンズの焦点距離が変更される。３群レンズ５は固定レンズである。尚、撮影レンズ２は本実施例では便宜上３、４、５の３枚のレンズで示したが実際はさらに多数のレンズから構成されていることは周知の通りである。
【００３１】
６はハーフミラーからなる主ミラーで、後述するレンズマウントが取り付けられた周知のミラーボックス３４に取り付けられたヒンジ軸により回転可能に軸支されおり、観察状態の時は撮影光路に斜設され、撮影レンズ２を透過した光束をファインダー及びサブミラーへと導き、撮影状態時は退去される。７はサブミラーで、ミラーボックス３４に取り付けられたヒンジ軸により主ミラー６に対して回転可能に軸支されており、観察状態の時は主ミラー６を透過した光束をカメラボディの下方へ向けて反射し、撮影状態時は主ミラー６に連動して退避する。
【００３２】
８はシャッターで、シャッター８の後方には光学ローパスフィルター及び赤外線カットフィルターを一体化した光学フィルター９が配置され、その後方には撮影画像を記録するためのＣＣＤ等から構成される撮像素子１０が配置されている。更にその後方にはデジタル制御マイコン１１４やＩ／Ｏ端子３０ｅを搭載するデジタル回路基板３０、カメラ制御マイコン１１５を搭載する後述説明するカメラ回路基板３５が配置されている。またミラーボックス３４の側面、電池ボックス３５上部には後述説明するＤＣＤＣコンバーター回路基板が配置されている。
【００３３】
３１は撮像素子１０とデジタル回路基板３０の信号の授受をおこなうための撮像素子フレキである。
【００３４】
回路基板３０の後方には撮像素子１０によって得られた画像データを表示するためのＴＦＴ液晶からなるモニター用表示器３２が配置されている。
【００３５】
１１は結像面近傍に配置されたフィールドレンズ１１ａ、反射ミラー１１ｂ及び１１ｃ、２次結像レンズ１１ｅ、絞り１１ｄ、ＣＣＤ等からなる複数のエリアセンサー１１ｆから構成されている周知の位相差方式の焦点検出装置で、被写界の複数の領域を焦点検出可能なように構成されている。
【００３６】
１２は撮影レンズ２の予定結像面に配置されたピント板。１３はコンデンサレンズで、撮影レンズ２からの光束を有効に接眼レンズ１６に導くためのものである。１４はファインダー視野領域を形成する視野マスクである。１５はファインダー光路変更用のペンタダハプリズムである。ペンタダハプリズム１５の後方には接眼レンズ１６が配置され、ピント板１２に結像された被写体像の光束が撮影者の眼球１７に達し観察される。１８、１９は観察画面内の被写体輝度を測定するための結像レンズと多分割測光センサーで、結像レンズ１８はペンタダハプリズム１５内の反射光路を介してピント板１２と多分割測光センサー１９を共役な結像関係に位置付けている。
【００３７】
２１はファインダー視野外に撮影情報を表示するためのＴＮ液晶表示器からなる内部液晶表示器で、照明用ＬＥＤ２０によって照明されることにより内部液晶表示器２１を透過した光が三角プリズム２２によりファインダー内に導かれ、撮影情報がファインダー視野外に表示される。これによって撮影者は撮影情報を知ることができる。
【００３８】
２３は撮影レンズ２内に設けた絞り、２４は絞り駆動装置、２５はレンズ駆動用モーターで、２６は駆動ギヤ等からなるレンズ駆動部材、２７はフォトカプラーで、レンズ駆動部材２６に連動するパルス板２８の回転を検知して不図示のＡＦ駆動回路に伝えている。ＡＦ駆動回路は、この情報とカメラ側からのレンズ駆動量の情報に基づいてレンズ駆動用モーター２５を所定量駆動させ、撮影レンズ３を光軸上を前後に移動させることにより自動的に合焦位置に移動させるようになっている。
【００３９】
２９はカメラ本体１と撮影レンズ２とのインターフェイスとなるマウント接点で、該マウント接点を通してカメラ・レンズ間の種々の情報通信を行っている。
【００４０】
次に図３を用いて本実施形態における電子カメラの要部回路基板の実装構成について説明する。
【００４１】
３０は前述のデジタル回路基板で、フレキコネクタ３０ａよって前述の撮像素子フレキ３１が接続される。デジタル回路基板３０は撮像素子駆動／制御回路１０１、Ａ／Ｄ変換回路１０２を含む第一の回路ブロック３０ｃ、第１画像信号処理回路１０３、バッファメモリ１０４、第２画像信号処理回路１０５、ＴＦＴ表示処理回路１０６、外部記録媒体制御回路１０７、Ｉ／Ｏ制御回路１０９、デジタル回路制御マイコン１１４、Ｉ／Ｏ端子３０ｅを含む第二の回路ブロック３０ｄの２つの回路ブロックで構成されている。
【００４２】
３５はカメラ回路基板で、カメラ回路制御マイコン１１５を含む第三の回路ブロックで構成されている。カメラ回路基板３５は不示図のフレキ及びコネクタによってデジタル回路基板３０と電気的に接続されている。
【００４３】
３６はデジタルＤＣＤＣコンバーター回路基板で、デジタルＤＣＤＣコンバーター回路１１６を含むデジタルＤＣＤＣコンバーター回路ブロック３６ａで構成され、ミラーボックス３４の側面に取り付けられている。デジタルＤＣＤＣコンバーター回路基板３６はコネクタ３６ｂ及びデジタル回路基板３０に実装されているコネクタ３０ｂ間をデジタルＤＣＤＣハーネス３８によって電気的接続がなされており、デジタル回路基板３０の第一の回路ブロック３０ｃ及び第二の回路ブロック３０ｄにそれぞれ電源供給をしている。
【００４４】
３７はカメラＤＣＤＣコンバーター回路基板で、カメラＤＣＤＣコンバーター回路１１７を含むカメラＤＣＤＣコンバーター回路ブロック３７ａで構成され、電池ボックス３５の上面に取り付けられている。カメラＤＣＤＣコンバーター回路基板３７はカメラＤＣＤＣコンバーター回路基板３７に実装されている不示図のコネクタ及びカメラ回路基板３５に実装されているコネクタ３５ａ間をカメラＤＣＤＣフレキ３９によって電気的接続がなされており、カメラ回路基板３５の第三の回路ブロック３５ｂに電源供給をしている。
【００４５】
尚、カメラＤＣＤＣコンバーター回路基板３７には電池ボックス３５に取り付けられている不示図の電池接片が接続されており、これによりカメラＤＣＤＣコンバーター回路ブロック３７ａが駆動するのに必要な電源の供給を受けている。デジタルＤＣＤＣコンバーター回路基板３６は不示図のワイヤーハーネスによってカメラＤＣＤＣコンバーター回路基板３７と接続されており、これによりデジタルＤＣＤＣコンバーター回路ブロック３６ａが駆動するのに必要な電源の供給を受けている。
【００４６】
次に図４を用いてデジタル回路基板３０内での電源ラインの概略の流れを説明する。
【００４７】
３０ｆは第二の回路ブロック３０ｄに供給される電源ラインを示し、３０ｇは第一の回路ブロック３０ｃに供給される電源ラインを示す。図示のごとくデジタルＤＣＤＣハーネス３８の接続用コネクタ３０ｂを第二の回路ブロック３０ｄの近傍に配置したため、電源ライン３０ｆは第一の回路ブロック３０ｃを横切るといったことがなくなり、撮像素子１０からの画像信号に電源ライン３０ｆのノイズが乗りにくくなることで安定した画像品質保証が可能となる。
【００４８】
本実施形態における電子カメラの実装ブロック構成は前述した如く第一の回路ブロック３０ｃ、第二の回路ブロック３０ｄ、第三の回路ブロック３５ｂ、デジタルＤＣＤＣ回路コンバーター回路ブロック３６ａ、カメラＤＣＤＣコンバーター回路ブロック３７ａの５つの回路ブロックで構成され、第一の回路ブロック３０ｃは撮影光軸３３の略同一軸上に配置され、第三の回路ブロック３５ｂ及びカメラＤＣＤＣコンバーター回路ブロック３７ａは第一の回路ブロック３０ｃに対しカメラの電池ボックス３５側に配置され、第二の回路ブロック３０ｄ及びデジタルＤＣＤＣコンバーター回路ブロック３６ａは第一の回路ブロック３０ｃに対しカメラの電池ボックス３５とは反対側に配置されている。
【００４９】
このように第二の回路ブロック３０ｄとデジタルＤＣＤＣコンバーター回路ブロック３６ａを、第三の回路ブロック３５ｂとカメラＤＣＤＣコンバーター回路ブロック３７ａをそれぞれカメラの同一側にレイアウトすることにより、それぞれのブロック間での配線長を短くすることが出来るため、ブロック間の配線ラインから発生するノイズを最小限に抑えることが出来る。更には本発明のレイアウトによれば前述した如く電源ラインによる画像信号への影響も最小限に抑えることが出来るため信頼性の高いカメラの提供が可能となる。
【００５０】
尚、上記実施例においては第一から第三の３つの回路ブロックをデジタル回路基板、カメラ回路基板に分割した構成としているが、１枚の基板上に前記３つの回路ブロックを構成しても何ら問題はなく、実施形態の構成が持つ機能が達成出来る構成であれば発明の主旨を逸脱しない範囲において種々の変形や応用が可能であることは勿論である。
【図面の簡単な説明】
【００５１】
【図１】本発明の電子カメラの要部電気構成を示すブロック図
【図２】本発明の電子カメラの要部構成図
【図３】本発明の電子カメラの要部回路基板の構成図でカメラ後方斜めから見た図
【図４】本発明の回路基板内での電源ラインの流れを示す略図
【図５】従来の電子カメラの要部回路基板の構成図でカメラ後方斜めから見た図
【図６】従来の回路基板内での電源ラインの流れを示す略図
【符号の説明】
【００５２】
１  カメラ本体
１０  撮像素子
３０  デジタル回路基板
３０ｃ  第一の回路ブロック
３０ｄ  第二の回路ブロック
３１  撮像素子フレキ
３５  カメラ回路基板
３５ｂ  第三の回路ブロック
３６  デジタルＤＣＤＣコンバーター回路基板
３６ａ  デジタルＤＣＤＣコンバーター回路ブロック
３７  カメラＤＣＤＣコンバーター回路基板
３８  デジタルＤＣＤＣハーネス
３９  カメラＤＣＤＣフレキ
【図１】
2006332745.tif 000003
【図２】
2006332745.tif 000004
【図３】
2006332745.tif 000005
【図４】
2006332745.tif 000006
【図５】
2006332745.tif 000007
【図６】
2006332745.tif 000008